【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】
コンピュータとデータベースとを備え、遺失携帯電話機の回収支援サービスを行なう遺失携帯電話機回収支援サービス装置であって、
加入者に関する加入者情報と該加入者の携帯電話機を特定する携帯電話機情報とを対応付けて前記データベースにより管理する加入者携帯電話機管理手段と、
加入者からの回収依頼に基づいて該加入者の加入者情報に対応して前記加入者携帯電話機管理手段にて管理される携帯電話機情報を遺失携帯電話機情報として前記データベースにより管理する遺失携帯電話機管理手段と、
拾得された携帯電話機を特定する拾得携帯電話機情報を取得する拾得携帯電話機情報取得手段と、
前記遺失携帯電話機管理手段にて管理される遺失携帯電話機情報のうち前記拾得携帯電話機情報と一致するものを回収可能携帯電話機情報として前記データベースにより管理する回収可能携帯電話機管理手段と、
所定のネットワークを介して伝送される情報を受信する情報受信手段と、を有し、
前記拾得携帯電話機情報取得手段は、前記情報受信手段にて受信された前記拾得携帯電話機情報を取得するようにしたことを特徴とする遺失携帯電話機回収支援サービス装置。
【請求項２】
前記拾得された携帯電話機の拾得者に関する拾得者情報を取得する拾得者情報取得手段と、
前記拾得者情報取得手段にて取得された拾得者情報を前記回収可能携帯電話機情報と対応付けて前記データベースにより管理する拾得者管理手段と、を有し、
前記拾得者情報取得手段は、前記情報受信手段にて受信された拾得者情報を取得するようにしたことを特徴とする請求項１記載の遺失電話機回収支援サービス装置。
【請求項３】
前記拾得携帯電話機の保管施設を特定する保管施設情報を取得する保管施設情報取得手段を有し、
前記保管施設情報取得手段は、前記情報受信手段にて受信された保管施設情報を取得するようにし、
前記回収可能携帯電話機管理手段は、前記回収可能携帯電話機情報を前記保管施設情報取得手段にて取得された保管施設情報と対応づけて管理するようにしたことを特徴とする請求項１または２記載の遺失携帯電話機回収支援サービス装置。
【請求項４】
前記加入者情報と前記携帯電話機情報とを前記情報受信手段にて受信したときに、前記加入者情報と前記携帯電話機情報とを前記加入者携帯電話機管理手段にて管理されるべき情報として前記データベースに追加登録するようにしたことを特徴とする請求項１から請求項３の何れかに記載の遺失携帯電話機回収支援サービス装置。
【請求項５】
所定のネットワークを介して情報を伝送する情報送信手段を有し、
前記拾得された携帯電話機の保管施設に設置された端末装置に対して前記拾得された携帯電話機の回収先の情報を前記情報送信手段に伝送させる送信制御手段を有することを特徴とする請求項３記載の遺失携帯電話機回収支援サービス装置。
【請求項６】
コンピュータとデータベースと、所定のネットワークを介して伝送される情報を受信する情報受信手段と、を備え、遺失携帯電話機の回収支援サービスを行なう遺失携帯電話機回収支援サービス装置での処理方法あって、
入力された加入者に関する加入者情報と該加入者の携帯電話機を特定する携帯電話機情報とを対応付けて管理されるべき情報として前記データベースに登録する加入者携帯電話機登録ステップと、
加入者からの回収依頼を入力したときに、該加入者の加入者情報に対応して登録された携帯電話機情報を管理されるべき遺失携帯電話機情報として前記データベースに登録する遺失携帯電話機登録ステップと、
拾得された携帯電話機を特定する拾得携帯電話機情報を取得する拾得携帯電話機情報取得ステップと、
前記データベースに登録された遺失携帯電話機情報のうち前記拾得携帯電話機情報と一致するものを管理されるべき回収可能携帯電話機情報として前記データベースに登録する回収可能携帯電話機登録ステップと、を有し、
前記拾得携帯電話機情報取得ステップは、前記情報受信手段にて受信された前記拾得携帯電話機情報を取得するようにしたことを特徴とする処理方法。
【請求項７】
前記拾得された携帯電話機の拾得者に関する拾得者情報であって、前記情報受信手段にて受信された拾得者情報を取得する拾得者情報取得ステップと、
前記拾得者情報取得ステップにて拾得者情報が取得されたときに、該拾得者情報を前記回収可能携帯電話機情報と対応付けて前記データベース登録するステップとを有することを特徴とする請求項６記載の処理方法。
【請求項８】
前記遺失携帯電話機回収支援サービス装置は、所定のネットワークを介して情報を伝送する情報送信手段を有し、
前記拾得携帯電話機の保管施設を特定する保管施設情報を取得する保管施設情報取得ステップと、
前記保管施設情報取得ステップにて取得された保管施設情報を前記回収可能携帯電話機情報と対応づけて前記データベースに登録するステップと、
前記拾得された携帯電話機の保管施設に設置された端末装置に対して前記拾得された携帯電話機の回収先の情報を前記情報送信手段に伝送させる送信制御ステップと、を有することを特徴とする請求項６又は請求項７記載の処理方法。
【請求項９】
コンピュータとデータベースとを備えて遺失携帯電話機の回収支援を行なうサービス装置と、所定の施設に設置された端末装置とを有する遺失携帯電話機回収支援サービスシステムであって、
前記端末装置は、所定のネットワークを介して情報の送受信を行なう端末通信手段と、
拾得された携帯電話機を特定する拾得携帯電話機情報が入力されたときに該拾得携帯電話機情報を前記端末通信手段により前記サービス装置に対して伝送させる送信制御手段とを有し、
前記サービス装置は、前記所定のネットワークを介して情報の送受信を行うサービス装置通信手段と、
加入者に関する加入者情報と該加入者の携帯電話機を特定する携帯電話機情報とを対応付けて前記データベースにより管理する加入者携帯電話機管理手段と、
加入者からの回収依頼に基づいて該加入者の加入者情報に対応して前記加入者携帯電話機管理手段にて管理される携帯電話機情報を遺失携帯電話機情報として前記データベースにより管理する遺失携帯電話機管理手段と、
前記サービス装置通信手段にて受信された前記端末装置からの拾得携帯電話機情報を取得する拾得携帯電話機情報取得手段と、
前記遺失携帯電話機管理手段にて管理される遺失携帯電話機情報のうち前記拾得携帯電話機情報と一致するものを回収可能携帯電話機情報として前記データベースにより管理する回収可能携帯電話機管理手段と、を有することを特徴とする遺失携帯電話機回収支援サービスシステム。
【請求項１０】
前記端末装置の送信制御手段は、前記拾得された携帯電話機の拾得者に関する拾得者情報が入力されたときに、該拾得者情報を前記端末通信手段により前記サービス装置に対して伝送させるようにし、
前記サービス装置は、前記サービス装置通信手段にて受信される前記端末装置からの拾得者情報を取得する拾得者情報取得手段と、
前記拾得者情報取得手段にて取得された拾得者情報を前記回収可能携帯電話機情報と対応付けて前記データベースにより管理する拾得者管理手段とを有することを特徴とする請求項９記載の遺失携帯電話機回収支援サービスシステム。
【請求項１１】
前記端末装置の送信制御手段は、前記拾得携帯電話機の保管施設を特定する保管施設情報が入力されたときに、該保管施設情報を前記端末通信手段に前記サービス装置に対して伝送させるようにし、
前記サービス装置は、前記サービス装置通信手段にて受信される前記端末装置からの保管施設情報を取得する保管施設情報取得手段を有し、
前記回収可能携帯電話機管理手段は、前記回収可能携帯電話機情報を前記保管施設情報取得手段にて取得された保管施設情報と対応づけて管理するようにし、
更に、前記サービス装置は、前記端末装置に対して前記取得された携帯電話機の回収先の情報を前記サービス装置通信手段に伝送させる送信制御手段を有することを特徴とする請求項９または１０記載の遺失携帯電話機回収支援サービスシステム。
【請求項１２】
コンピュータとデータベースとを備えて遺失携帯電話機の回収支援を行なうサービス装置と、所定の施設に設置されて前記サービス装置と所定のネットワークを介して情報の送受が可能となる端末装置とを有する遺失携帯電話機回収支援サービスシステムでの処理方法であって、
前記サービス装置での処理は、入力された加入者に関する情報と該加入者の携帯電話機を特定する携帯電話機情報とを対応付けて管理されるべき情報として前記データベースに登録する加入者携帯電話機登録ステップと、
加入者からの回収依頼を入力したときに、該加入者の加入者情報に対応して登録された携帯電話機情報を管理されるべき遺失携帯電話機情報として前記データベースに登録する遺失携帯電話機登録ステップとを有し、
前記端末装置での処理は、拾得された携帯電話機を特定する拾得携帯電話機情報が入力されたときに該拾得携帯電話機情報を前記サービス装置に対して伝送させる送信制御ステップを有し、
前記サービス装置での処理は、更に、前記端末装置からの前記拾得携帯電話機情報を受信したときに前記拾得携帯電話機情報を取得する拾得携帯電話機情報取得ステップと、
前記データベースに登録された遺失携帯電話機情報のうち前記拾得携帯電話機情報と一
致するものを管理されるべき回収携帯電話機情報として前記データベースに登録する回収可能携帯電話機登録ステップとを有することを特徴とする処理方法。
【請求項１３】
前記端末装置での処理は、前記拾得された携帯電話機の拾得者に関する拾得者情報を入力したときに、該拾得者情報を前記端末通信手段により前記サービス装置に対して伝送させるステップを有し、
前記サービス装置での処理は、前記端末装置から前記拾得者情報を受信したときに前記拾得者情報を取得する拾得者情報取得ステップと、
前記拾得者情報取得ステップにて取得された拾得者情報を前記回収可能携帯電話機情報と対応付けて前記データベース登録するステップとを有することを特徴とする請求項１２記載の処理方法。
【請求項１４】
前記端末装置での処理は、前記拾得携帯電話機の保管施設を特定する保管施設情報を入力したときに、該保管施設情報を前記サービス装置に対して伝送するステップを有し、
前記サービス装置での処理は、前記端末装置からの前記保管施設情報を受信したときに前記保管施設情報を取得する保管施設情報取得ステップと、
前記保管施設情報取得ステップにて取得された保管施設情報を前記回収可能携帯電話機情報と対応付けて前記データベースに登録するステップと、
前記拾得された携帯電話機の回収先の情報を前記端末装置に伝送するステップと、を有することを特徴とする請求項１２または１３記載の処理方法。